(57)【特許請求の範囲】
【請求項１】
被収納物を入れるケース本体とケース本体を閉塞する開閉部材とを備えた収納ケースであって、
前記ケース本体は、シートを折り曲げて成形され、
前記開閉部材は、
前記ケース本体の開口部を閉塞する蓋部と、ケース本体に連結するための連結部と、前記蓋部と連結部とを回転自在に連結する開閉可動部とを有し、
前記連結部は、連結部本体と、前記連結部本体から外方にのびた挟持部とを備え、
前記連結部本体は、ケース本体に固定される領域を有し、
前記挟持部は、ケース本体の開口部の領域を、表側と内側との間に跨って挟み、固定されるように形成され、
前記開閉部材は、前記蓋部と連結部と開閉可動部と挟持部とを一体成形したことを特徴とする、収納ケース。
【請求項２】
ケース本体は、後胴部及び側部の開口部側端縁に、開閉部材を固定される領域を有し、
開閉部材は、
連結部本体が、ケース本体の前胴部又は後胴部に固定される領域を有し、
前記挟持部が、前胴部と後胴部との間に形成された側部の開口部の領域を、表側と内側との間に跨って挟み、固定されるように形成され、
ケース本体の前胴部及び／又は後胴部の側部側端縁に沿った平行な直線状屈曲部と、
前記屈曲部と平行な又は前記屈曲部に斜交する、直線状の架設部と、
前記屈曲部と平行な又は前記屈曲部に斜交する、直線状の係合端縁とを備えた、請求項１に記載の収納ケース。
【請求項３】
開閉可動部は、ケース本体の開口部ののびる方向と平行にのび、且つ前記のびる方向と交差する方向にわん曲又は／屈曲するように柔軟に形成された、請求項１又は請求項２に記載の収納ケース。
【請求項４】
挟持部は、ケース本体の内側を支持する内側支持部と、ケース本体の外側を支持する外側支持部と、前記内側支持部と外側支持部との間に架け渡された架設部とを備え、
前記内側支持部及び／又は外側支持部は、連結部に屈曲部を介して連設され、
前記架設部は、ケース本体の側部の開口部の形状に沿った形状を有している、請求項１又は請求項３に記載の収納ケース。
【請求項５】
挟持部は、外側支持部及び／又は内側支持部をケース本体の側部に固定するための支持固定部を備え、
前記支持固定部は、ケース本体の側部に固定された状態を維持させるための嵌合部及び／又は係合部を備えた、請求項１ないし請求項４のいずれかに記載の収納ケース。
【請求項６】
前記蓋部は、ケース本体及び／又は挟持部に固定され、閉塞した状態を維持するための被蓋固定手段を備え、
前記被蓋固定手段は、
ケース本体及び／又は挟持部と蓋部とのいずれかに形成された、係止用凸部と該係止用凸部に係止されて蓋部をケース本体に固定するための係止用凹部とからなる、被蓋係止部、
ケース本体及び／又は挟持部と蓋部とに形成された、面ファスナ、
ケース本体及び／又は挟持部と蓋部とに形成されたマグネットのうち、いずれか１つで構成された、請求項１ないし請求項５のいずれかに記載の収納ケース。
【請求項７】
ケース本体は、前胴部と、前記前胴部に対向する後胴部と、前記前胴部と後胴部との間に架設された右側部及び左側部と、前記前胴部と後胴部と右側部と左側部とにより囲繞された領域に設けられた底部とを有し、
開閉部材の蓋部は、前記ケース本体の底部とは反対側の開口部を覆う天部と、前記開閉可動部の両端の領域に続く端縁に設けられた右側部材及び左側部材とを有し、
更に、ケース本体は、後胴部及び側部の開口部側端縁に、開閉部材を固定される領域を有し、
開閉部材は、
内側支持部と外側支持部に嵌合部を形成され、ケース本体の側部に形成された嵌合用貫通孔に嵌合部を嵌挿して、内側支持部の嵌合部と外側支持部の嵌合部とを嵌合してケース本体に固定され、
及び／又は、
内側支持部及び／又は外側支持部の自由端縁に係合用凸部を形成され、該係合用凸部を、ケース本体の前胴部又は後胴部に穿設された係合用貫通孔に嵌挿して、連結部及び／又は挟持部に穿設された係合用凹部に係合してケース本体に固定された、請求項１ないし請求項６のいずれかに記載の収納ケース。
【請求項８】
被収納物を入れるケース本体とケース本体を閉塞する開閉部材とを備えた収納ケースであって、
前記ケース本体は、手前側の開口端縁と向こう側の開口端縁とを有し、
前記開閉部材は、
前記ケース本体の開口部を閉塞する蓋部と、ケース本体の向こう側に連結するための連結部と、前記蓋部と連結部とを回転自在に連結する開閉可動部とを有し、
前記連結部は、連結部本体と、外方にのびた挟持部とを備え、
前記連結部本体は、ケース本体の向こう側に連結するためにケース本体に固定される領域を有し、
前記挟持部は、屈曲部を介して連設され、ケース本体の内側に接合固定される内側支持部及びケース本体の外側に接合固定される外側支持部並びに前記内側支持部と外側支持部との間に架け渡された架設部を備え、
前記開閉可動部は、
前記ケース本体の向こう側の開口端縁に近い高さ位置において、連結部に近い側に形成された第１開閉可動部と、
前記第１開閉可動部より蓋部側に離れた位置において形成された、第２開閉可動部とを有し、
前記開閉部材は、前記蓋部と連結部と開閉可動部とを一体成形したことを特徴とする、請求項１に記載の収納ケース。
【請求項９】
前記第１開閉可動部は、ケース本体の後胴部の開口端縁の下方の領域に当接する位置において形成され、第２開閉可動部との間に後胴部付加部を連設された、請求項８に記載の収納ケース。
【請求項１０】
前記連結部は、前記連結部本体から外方にのびた挟持部を備え、
前記挟持部は、ケース本体の開口部の領域を、表側と内側との間に跨って挟み、固定されるように形成された、請求項８又は請求項９に記載の収納ケース。
【請求項１１】
ケース本体は、後胴部の開口部側端縁に、開閉部材を固定される領域を有し、
開閉部材は、
連結部本体が、ケース本体の後胴部に固定される領域を有し、
前記挟持部が、前胴部と後胴部との間に形成された側部の開口部の領域を、表側と内側との間に跨って挟み、固定されるように形成され、
ケース本体の前胴部及び／又は後胴部の側部側端縁に沿った平行な直線状屈曲部と、
前記屈曲部と平行な又は前記屈曲部に斜交する、直線状の架設部と、
前記屈曲部と平行な又は前記屈曲部に斜交する、直線状の係合端縁とを備えた、請求項８ないし請求項１０のいずれかに記載の収納ケース。
【発明の詳細な説明】
【技術分野】
【０００１】
この発明は、収納ケースに関し、特に例えば、筆記具等の文房具、カード、用紙、書籍等の紙類、日用品等を収納するケースに関する。
【背景技術】
【０００２】
従来の角型のケースとして、特開平９−２８６４７４（特許文献１）のような、合成樹脂により成型加工されたケースが提案されている。
又、従来の角型のケースとして、特開２０００−３２５１２９（特許文献２）のような、薄板により成形されたケースが提示されている。
【先行技術文献】
【特許文献】
【０００３】
【特許文献１】特開平９−２８６４７４号公報
【特許文献２】特開２０００−３２５１２９号公報
【発明の概要】
【発明が解決しようとする課題】
【０００４】
ところが、従来の特許文献１のケースは、ケース本体とヒンジ部と開閉蓋とが一体である。
従来の特許文献１のケースは、立体的な構造で複雑であるために、成型の金型が大型となり、又、成型の金型やジグが複雑となり、製造に手間がかかる。
又、従来の特許文献２のケースは、薄いシート状物を折り曲げて組み立てられているために、一定の形状を保つ保型性に問題がある。
それゆえに、この発明の主たる目的は、構造の簡単な部材を組み立てて容易に製造することができ、保型性に優れる収納ケースを提供することである。
【課題を解決するための手段】
【０００５】
この発明の請求項１にかかる収納ケースは、被収納物を入れるケース本体とケース本体を閉塞する開閉部材とを備えた収納ケースであって、前記ケース本体は、シートを折り曲げて成形され、前記開閉部材は、前記ケース本体の開口部を閉塞する蓋部と、ケース本体に連結するための連結部と、前記蓋部と連結部とを回転自在に連結する開閉可動部とを有し、前記連結部は、連結部本体と、前記連結部本体から外方にのびた挟持部とを備え、前記連結部本体は、ケース本体に固定される領域を有し、前記挟持部は、ケース本体の開口部の領域を、表側と内側との間に跨って挟み、固定されるように形成され、前記開閉部材は、前記蓋部と連結部と開閉可動部と挟持部とを一体成形したことを特徴とする、収納ケースである。
この発明の請求項２にかかる収納ケースにおいては、ケース本体は、後胴部及び側部の開口部側端縁に、開閉部材を固定される領域を有し、開閉部材は、連結部本体が、ケース本体の前胴部又は後胴部に固定される領域を有し、前記挟持部が、前胴部と後胴部との間に形成された側部の開口部の領域を、表側と内側との間に跨って挟み、固定されるように形成され、ケース本体の前胴部及び／又は後胴部の側部側端縁に沿った平行な直線状屈曲部と、前記屈曲部と平行な又は前記屈曲部に斜交する、直線状の架設部と、前記屈曲部と平行な又は前記屈曲部に斜交する、直線状の係合端縁とを備えた、請求項１に記載の収納ケースである。
この発明の請求項３にかかる収納ケースにおいては、開閉可動部は、ケース本体の開口部ののびる方向と平行にのび、且つ前記のびる方向と交差する方向にわん曲又は／屈曲するように柔軟に形成された、請求項１又は請求項２に記載の収納ケースである。
この発明の請求項４にかかる収納ケースにおいては、挟持部は、ケース本体の内側を支持する内側支持部と、ケース本体の外側を支持する外側支持部と、前記内側支持部と外側支持部との間に架け渡された架設部とを備え、前記内側支持部及び／又は外側支持部は、連結部に屈曲部を介して連設され、前記架設部は、ケース本体の側部の開口部の形状に沿った形状を有している、請求項１又は請求項３に記載の収納ケースである。
この発明の請求項５にかかる収納ケースにおいては、挟持部は、外側支持部及び／又は内側支持部をケース本体の側部に固定するための支持固定部を備え、前記支持固定部は、ケース本体の側部に固定された状態を維持させるための嵌合部及び／又は係合部を備えた、請求項１ないし請求項４のいずれかに記載の収納ケースである。
この発明の請求項６にかかる収納ケースにおいては、前記蓋部は、ケース本体及び／又は挟持部に固定され、閉塞した状態を維持するための被蓋固定手段を備え、前記被蓋固定手段は、ケース本体及び／又は挟持部と蓋部とのいずれかに形成された、係止用凸部と該係止用凸部に係止されて蓋部をケース本体に固定するための係止用凹部とからなる、被蓋係止部、ケース本体及び／又は挟持部と蓋部とに形成された、面ファスナ、ケース本体及び／又は挟持部と蓋部とに形成されたマグネットのうち、いずれか１つで構成された、請求項１ないし請求項５のいずれかに記載の収納ケースである。
この発明の請求項７にかかる収納ケースにおいては、ケース本体は、前胴部と、前記前胴部に対向する後胴部と、前記前胴部と後胴部との間に架設された右側部及び左側部と、前記前胴部と後胴部と右側部と左側部とにより囲繞された領域に設けられた底部とを有し、開閉部材の蓋部は、前記ケース本体の底部とは反対側の開口部を覆う天部と、前記開閉可動部の両端の領域に続く端縁に設けられた右側部材及び左側部材とを有し、更に、ケース本体は、後胴部及び側部の開口部側端縁に、開閉部材を固定される領域を有し、開閉部材は、内側支持部と外側支持部に嵌合部を形成され、ケース本体の側部に形成された嵌合用貫通孔に嵌合部を嵌挿して、内側支持部の嵌合部と外側支持部の嵌合部とを嵌合してケース本体に固定され、及び／又は、内側支持部及び／又は外側支持部の自由端縁に係合用凸部を形成され、該係合用凸部を、ケース本体の前胴部又は後胴部に穿設された係合用貫通孔に嵌挿して、連結部及び／又は挟持部に穿設された係合用凹部に係合してケース本体に固定された、請求項１ないし請求項６のいずれかに記載の収納ケースである。
この発明の請求項８にかかる収納ケースは、被収納物を入れるケース本体とケース本体を閉塞する開閉部材とを備えた収納ケースであって、前記ケース本体は、手前側の開口端縁と向こう側の開口端縁とを有し、前記開閉部材は、前記ケース本体の開口部を閉塞する蓋部と、ケース本体の向こう側に連結するための連結部と、前記蓋部と連結部とを回転自在に連結する開閉可動部とを有し、前記連結部は、連結部本体と、外方にのびた挟持部とを備え、前記連結部本体は、ケース本体の向こう側に連結するためにケース本体に固定される領域を有し、前記挟持部は、屈曲部を介して連設され、ケース本体の内側に接合固定される内側支持部及びケース本体の外側に接合固定される外側支持部並びに前記内側支持部と外側支持部との間に架け渡された架設部を備え、前記開閉可動部は、前記ケース本体の向こう側の開口端縁に近い高さ位置において、連結部に近い側に形成された第１開閉可動部と、前記第１開閉可動部より蓋部側に離れた位置において形成された、第２開閉可動部とを有し、前記開閉部材は、前記蓋部と連結部と開閉可動部とを一体成形したことを特徴とする、請求項１に記載の収納ケースである。
この発明の請求項９にかかる収納ケースにおいては、前記第１開閉可動部は、ケース本体の後胴部の開口端縁の下方の領域に当接する位置において形成され、第２開閉可動部との間に後胴部付加部を連設された、請求項８に記載の収納ケースである。
この発明の請求項１０にかかる収納ケースにおいては、前記連結部は、前記連結部本体から外方にのびた挟持部を備え、前記挟持部は、ケース本体の開口部の領域を、表側と内側との間に跨って挟み、固定されるように形成された、請求項８又は請求項９に記載の収納ケースである。
この発明の請求項１１にかかる収納ケースにおいては、ケース本体は、後胴部の開口部側端縁に、開閉部材を固定される領域を有し、開閉部材は、連結部本体が、ケース本体の後胴部に固定される領域を有し、前記挟持部が、前胴部と後胴部との間に形成された側部の開口部の領域を、表側と内側との間に跨って挟み、固定されるように形成され、ケース本体の前胴部及び／又は後胴部の側部側端縁に沿った平行な直線状屈曲部と、前記屈曲部と平行な又は前記屈曲部に斜交する、直線状の架設部と、前記屈曲部と平行な又は前記屈曲部に斜交する、直線状の係合端縁とを備えた、請求項８ないし請求項１０のいずれかに記載の収納ケースである。
【発明の効果】
【０００６】
本件発明によれば、被収納物を入れるケース本体とケース本体を閉塞する開閉部材とを備えた収納ケースであって、前記ケース本体は、シートを折り曲げて成形され、前記開閉部材は、前記ケース本体の開口部を閉塞する蓋部と、ケース本体に連結するための連結部と、前記蓋部と連結部とを回転自在に連結する開閉可動部とを有し、前記連結部は、連結部本体と、前記連結部本体から外方にのびた挟持部とを備え、前記連結部本体は、ケース本体に固定される領域を有し、前記挟持部は、ケース本体の開口部の領域を、表側と内側との間に跨って挟み、固定されるように形成され、前記開閉部材は、前記蓋部と連結部と開閉可動部と挟持部とを一体成形したことを特徴とするので、ケース本体と開閉部材とを組み立てて、容易に製造することができ、保型性に優れた収納ケースを得ることができる。
請求項２の発明によれば、ケース本体は、後胴部及び側部の開口部側端縁に、開閉部材を固定される領域を有し、開閉部材は、連結部本体が、ケース本体の前胴部又は後胴部に固定される領域を有し、前記挟持部が、前胴部と後胴部との間に形成された側部の開口部の領域を、表側と内側との間に跨って挟み、固定されるように形成され、ケース本体の前胴部及び／又は後胴部の側部側端縁に沿った平行な直線状屈曲部と、前記屈曲部と平行な又は前記屈曲部に斜交する、直線状の架設部と、前記屈曲部と平行な又は前記屈曲部に斜交する、直線状の係合端縁とを備えているので、ケース本体は、補強され、保型性に優れた収納ケースとなる。
請求項３の発明によれば、開閉可動部は、ケース本体の開口部ののびる方向と平行にのび、且つ前記のびる方向と交差する方向にわん曲又は／屈曲するように柔軟に形成されているので、蓋部をもってケース本体の開口部を閉塞したり、開いたりすることができる。
請求項４の発明によれば、挟持部は、ケース本体の内側を支持する内側支持部と、ケース本体の外側を支持する外側支持部と、前記内側支持部と外側支持部との間に架け渡された架設部とを備え、前記内側支持部及び／又は外側支持部は、連結部に屈曲部を介して連設され、前記架設部は、ケース本体の側部の開口部の形状に沿った形状を有しているので、ケース本体の開口部の端縁を覆うことができ、端縁に指が当たっても痛くない。
請求項５の発明によれば、挟持部は、外側支持部及び／又は内側支持部をケース本体の側部に固定するための支持固定部を備え、前記支持固定部は、ケース本体の側部に固定された状態を維持させるための嵌合部及び／又は係合部を備えているので、支持固定部を嵌合又は係合させて、開閉部材の挟持部をケース本体に固定させ、ケース本体と開閉部材とを容易に組み立てることができる。
請求項６の発明によれば、前記蓋部は、ケース本体及び／又は挟持部に固定され、閉塞した状態を維持するための被蓋固定手段を備え、前記被蓋固定手段は、ケース本体及び／又は挟持部と蓋部とのいずれかに形成された、係止用凸部と該係止用凸部に係止されて蓋部をケース本体に固定するための係止用凹部とからなる、被蓋係止部、ケース本体及び／又は挟持部と蓋部とに形成された、面ファスナ、ケース本体及び／又は挟持部と蓋部とに形成されたマグネットのうち、いずれか１つで構成されているので、開閉部材の蓋部がケース本体の開口部を閉塞したとき、開閉部材の蓋部をケース本体に固定することができる。
請求項７の発明によれば、ケース本体は、前胴部と、前記前胴部に対向する後胴部と、前記前胴部と後胴部との間に架設された右側部及び左側部と、前記前胴部と後胴部と右側部と左側部とにより囲繞された領域に設けられた底部とを有し、開閉部材の蓋部は、前記ケース本体の底部とは反対側の開口部を覆う天部と、前記開閉可動部の両端の領域に続く端縁に設けられた右側部材及び左側部材とを有し、更に、ケース本体は、後胴部及び側部の開口部側端縁に、開閉部材を固定される領域を有し、開閉部材は、内側支持部と外側支持部に嵌合部を形成され、ケース本体の側部に形成された嵌合用貫通孔に嵌合部を嵌挿して、内側支持部の嵌合部と外側支持部の嵌合部とを嵌合してケース本体に固定され、及び／又は、内側支持部及び／又は外側支持部の自由端縁に係合用凸部を形成され、該係合用凸部を、ケース本体の前胴部又は後胴部に穿設された係合用貫通孔に嵌挿して、連結部及び／又は挟持部に穿設された係合用凹部に係合してケース本体に固定されているので、開閉部材は、嵌合部を嵌合させ又は係合用凸部を係合させて、ケース本体と開閉部材とを容易に組み立てることができる。
請求項８の発明によれば、被収納物を入れるケース本体とケース本体を閉塞する開閉部材とを備えた収納ケースであって、前記ケース本体は、手前側の開口端縁と向こう側の開口端縁とを有し、前記開閉部材は、前記ケース本体の開口部を閉塞する蓋部と、ケース本体の向こう側に連結するための連結部と、前記蓋部と連結部とを回転自在に連結する開閉可動部とを有し、前記連結部は、連結部本体と、外方にのびた挟持部とを備え、前記連結部本体は、ケース本体の向こう側に連結するためにケース本体に固定される領域を有し、前記挟持部は、屈曲部を介して連設され、ケース本体の内側に接合固定される内側支持部及びケース本体の外側に接合固定される外側支持部並びに前記内側支持部と外側支持部との間に架け渡された架設部を備え、前記開閉可動部は、前記ケース本体の向こう側の開口端縁に近い高さ位置において、連結部に近い側に形成された第１開閉可動部と、前記第１開閉可動部より蓋部側に離れた位置において形成された、第２開閉可動部とを有し、前記開閉部材は、前記蓋部と連結部と開閉可動部とを一体成形されているので、ケース本体と開閉部材とを組み立てて、容易に製造することができ、蓋部をもってケース本体の開口部を閉塞したり、開いたりすることができる。
請求項９の発明によれば、前記第１開閉可動部は、ケース本体の後胴部の開口端縁の下方の領域に当接する位置において形成され、第２開閉可動部との間に後胴部付加部を連設されているので、ケース本体は、補強され、保型性に優れた収納ケースとなる。
請求項１０の発明によれば、前記連結部は、前記連結部本体から外方にのびた挟持部を備え、前記挟持部は、ケース本体の開口部の領域を、表側と内側との間に跨って挟み、固定されるように形成されているので、ケース本体は、補強され、保型性に優れた収納ケースとなる。
請求項１１の発明によれば、ケース本体は、後胴部の開口部側端縁に、開閉部材を固定される領域を有し、開閉部材は、連結部本体が、ケース本体の後胴部に固定される領域を有し、前記挟持部が、前胴部と後胴部との間に形成された側部の開口部の領域を、表側と内側との間に跨って挟み、固定されるように形成され、ケース本体の前胴部及び／又は後胴部の側部側端縁に沿った平行な直線状屈曲部と、前記屈曲部と平行な又は前記屈曲部に斜交する、直線状の架設部と、前記屈曲部と平行な又は前記屈曲部に斜交する、直線状の係合端縁とを備えているので、ケース本体は、補強され、保型性に優れた収納ケースとなる。
【０００７】
この発明の上述の目的，その他の目的，特徴及び利点は、図面を参照して行う以下の発明を実施するための最良の形態の説明から一層明らかとなろう。
【図面の簡単な説明】
【０００８】
【図１】この発明の一実施の形態である収納ケースを示す斜視図解図である。
【図２】図１に示す収納ケースを開いた状態を示す正面図解図である。
【図３】図１に示す収納ケースを開いた状態を示す側面図解図である。
【図４】図１に示す収納ケースを開いた状態を示す背面図解図である。
【図５】図１に示す収納ケースを閉じた状態を示す正面図解図である。
【図６】図１に示す収納ケースを閉じた状態を示す側面図解図である。
【図７】図１に示す収納ケースを閉じた状態を示す背面図解図である。
【図８】図２Ｂ−Ｂ断面図解図である。
【図９】蓋部を開いた状態から閉じた状態にするときの途中の状態を示す図２Ｂ−Ｂ断面図である。
【図１０】図２Ｃ−Ｃ断面図である。
【図１１】ケース本体の構成材と開閉部材の展開した状態を示す平面図解図である。
【図１２】ケース本体の構成材の斜視図解図である。
【図１３】ケース本体を組み立てる状態を示す斜視図解図である。
【図１４】ケース本体を組み立てる状態を示す斜視図解図である。
【図１５】ケース本体を組み立てる状態を示す斜視図解図である。
【図１６】開閉部材の展開した状態における平面図解図である。
【図１７】開閉部材の展開した状態における背面図解図である。
【図１８】開閉部材を折り曲げてケース本体と組み立てる過程を示す斜視図解図である。
【図１９】開閉部材を折り曲げてケース本体と組み立てる過程を示す断面図解図である。
【図２０】開閉部材を折り曲げてケース本体と組み立てる過程を示す断面図解図である。
【図２１】この発明の別の実施の形態である収納ケースを示す斜視図解図である。
【図２２】図２１図示ケースのケース本体の構成材の開閉部材の展開した状態を示す平面図解図である。
【図２３】図２１図示ケースのケース本体の構成材の平面図解図である。
【図２４】図２１図示ケースの開閉部材の展開した状態における平面図解図である。
【図２５】この発明の別の実施の形態である収納ケースを示す斜視図解図である。
【図２６】図２５図示ケースのケース本体の構成材と開閉部材の展開した状態を示す平面図解図である。
【図２７】この発明の一実施の形態である収納ケースを示す斜視図解図である。
【図２８】図２７に示す収納ケースを開いた状態を示す正面図解図である。
【図２９Ａ】図２７に示す収納ケースを開いた状態を示す側面図解図である。
【図２９Ｂ】図２７に示す収納ケースを開いた状態を示す側面図解図である。
【図３０】図２７に示す収納ケースを開いた状態を示す背面図解図である。
【図３１】図２７に示す収納ケースを閉じた状態を示す正面図解図である。
【図３２】図２７に示す収納ケースを閉じた状態を示す側面図解図である。
【図３３】ケース本体の構成材と開閉部材の展開した状態を示す平面図解図である。
【図３４】図２７に示す収納ケースを閉じた状態を示す背面図解図である。
【図３５】図２８Ｂ−Ｂ断面図解図である。
【図３６】蓋部を開いた状態から閉じた状態にするときの途中の状態を示す図２８Ｂ−Ｂ断面図である。
【図３７】収納ケースの概略説明図である。
【発明を実施するための形態】
【０００９】
この発明に係る収納ケース１０は、被収納物Ｘを入れるケース本体１２と、ケース本体１２を閉塞（被蓋）する開閉部材１４とを備えた、カード、文房具、日用品などを収納するケースである。
ケース本体１２は、平らな合成樹脂シートを折り曲げて箱状に成形され、開閉部材１４は、合成樹脂により一体成型され、ケース本体１２と開閉部材１４とは、結合されて、収納ケース１０を構成する。
【００１０】
前記開閉部材１４は、前記ケース本体１２の開口部１１２を閉塞（被蓋）する蓋部２０と、ケース本体１２に連結するための連結部２２と、前記蓋部２０と連結部２２とを回転自在に連結する開閉可動部２４とを有している。
【００１１】
前記連結部２２は、連結部本体２６と、前記連結部本体２６の右側端及び左側端から外方にのびた挟持部２８とを備える。
前記連結部本体２６は、ケース本体１２の前胴部１０２又は後胴部１０４に固定される領域を有している。
前記開閉部材１４は、前記蓋部２０と連結部２２と開閉可動部２４と連結部本体２６と挟持部２８とを合成樹脂により一体成型されてなる。
【００１２】
ケース本体１２は、前胴部１０２と、前記前胴部１０２に対向する後胴部１０４と、前記前胴部１０２と後胴部１０４との間に架設された、ケースの襠部を構成する右側部１０６及び左側部１０８と、前記前胴部１０２と後胴部１０４と右側部１０６と左側部１０８とにより囲繞された領域に設けられた底部１１０とを有している。
ケース本体１２は、前胴部１０２と後胴部１０４と右側部１０６と左側部１０８と底部１１０とにより囲まれた胴部（収容部）に、被収納物Ｘを収納する。
【００１３】
開閉部材１４の蓋部２０は、前記ケース本体１２の底部１１０とは反対側の開口部１１２を覆う前蓋部３０、前記開閉可動部２４の両端の領域に続く端縁に設けられた右側蓋部３２及び左側蓋部３４並びにケース本体１２の底部１１０に対向する天部３６を有する。
【００１４】
前蓋部３０は、正面視長方形の板状体であり、右側蓋部３２は、前蓋部３０の右側端縁に第６折り曲げ線１３０の内面と直交するように向こう側に向けて突設された板状体であり、左側蓋部３４は、前蓋部３０の左側端縁に第６折り曲げ線１３０の内面と直交するように向こう側に向けて突設された板状体である。
天部３６は、ケース本体１２の底部１１０と相似形の平面視長方形状であり、右側蓋部３２と左側蓋部３４との間に架け渡され、前蓋部３０の上方側端縁に前蓋部３０の内面と直交するように向こう側に向けて突設された板状体である。
【００１５】
開閉可動部２４は、天部３６の向こう側端に連設され、前蓋部３０の幅と略々同じ長さを備える、略々長方形状である。
開閉可動部２４は、ケース本体１２の開口部１１２ののびる方向と平行にのび、且つ前記のびる方向と交差する方向にわん曲又は／屈曲するように柔軟に形成されている。
【００１６】
連結部本体２６は、後胴部１０４の第１右側部材１０６Ａ及び第１左側部材１０８Ａの高さよりも、より上方に突き出た開口部１１２の領域（開閉部材を固定する領域１４０）と略々同じ正面視長方形状の板状体である。
【００１７】
蓋部２０は、後胴部１０４の上方に突き出るように、ケース本体１２に開閉自在に固定される。
蓋部２０でケース本体１２の開口部１１２を閉塞するときに、前蓋部３０は、開閉可動部２４を枢軸として回転させることにより連結部２２の内側面と対向し、右側蓋部３２は、連結部２２の右外側に位置し、左側蓋部３４は、連結部２２の左外側に位置するように構成されている。
【００１８】
開閉部材１４の連結部本体２６は、開閉部材を固定する領域１４０を構成する後胴部１０４の中間部分から上端に達する領域に固定される高さと幅を備える。
開閉可動部２４は、ケース本体１２の開口部１１２を覆う幅を備え、後胴部１０４の上端の近傍に位置するように構成される。
蓋部２０は、ケース本体１２の開口部１１２を閉塞するように、天部３６が、ケース本体１２の右側部１０６と左側部１０８との間隔よりも広い幅を備え、右側部１０６と左側部１０８との間を覆う高さを有し、ケース本体１２の底部１１０と略同一の面積又は広い面積を有する。
蓋部２０は、ケース本体１２の開口部１１２を閉塞するように、右側蓋部３２がケース本体１２の右側部１０６の外側に位置し、且つ左側蓋部３４がケース本体１２の左側部１０８の外側に位置して固定される幅を備える。
蓋部２０は、ケース本体１２の開口部１１２を閉塞するように、前蓋部３０がケース本体１２の前胴部１０２の上端縁（開口部１１２の側の端縁）の近傍の外側に位置して、ケース本体１２の開口部１１２の前方を閉塞するための高さを有し、且つ右側部１０６と左側部１０８との外側に達する幅を有している。
【００１９】
挟持部２８は、連結部本体２６の右側端から右外方に突き出し設けられた第１の挟持部２８Ａと、連結部本体２６の左側端から左外方に突き出し設けられた第２の挟持部２８Ｂとを備える。
第１の挟持部２８Ａと第２の挟持部２８Ｂとは、左右対称に形成されている。
前記挟持部２８は、前胴部１０２と後胴部１０４との間に形成された襠部を構成する右側部１０６及び左側部１０８の開口部１１２の領域（開閉部材を固定する領域１４０）を、表側と内側との間に跨って挟み、固定されるように形成されている。
挟持部２８は、ケース本体１２の内側に接合固定されて内側を支持する内側支持部４０と、ケース本体１２の外側に接合固定されて外側を支持する外側支持部４２と、前記内側支持部４０と外側支持部４２との間に架け渡された架設部４４とを備える。
前記内側支持部４０及び外側支持部４２は、連結部２２に屈曲部４６を介して連設されている。
【００２０】
前記架設部４４は、ケース本体１２の襠部を構成する右側部１０６及び左側部１０８の開口部１１２の形状に沿った形状を有している。
この実施の形態においては、ケース本体１２の襠部を構成する右側部１０６及び左側部１０８の開口部１１２側の開口側端縁１０６ａ及び開口側端縁１０８ａ（開閉部材を固定する領域１４０）は、後胴部１０４側から前胴部１０２側にかけて低くなる傾斜端縁を構成している。そのために、外側支持部４２は、前側から後ろ側に向けてその幅が狭くなる扇形に形成され、内側支持部４０は、外側支持部４２の形状と略同じ形状であって、前側から後ろ側に向けてその幅が狭くなる扇形に形成されている。
【００２１】
開閉部材１４は、ケース本体１２の前胴部１０２及び／又は後胴部１０４の襠部側の端縁に沿った平行な直線状屈曲部４６と、前記屈曲部４６に斜交する、直線状の架設部４４と、前記屈曲部４６に斜交する、直線状の係合端縁４８とを備え、前記屈曲部４６と架設部４４と係合端縁４８との間に架設部４４を挟んで、並んで形成されている。
架設部４４と屈曲部４６との間隔は、前側から後ろ側に向けてその幅が狭くなる。
【００２２】
挟持部２８は、外側支持部４２及び内側支持部４０をケース本体１２の襠部に固定するための支持固定部５０を備える。
前記支持固定部５０は、ケース本体１２の襠部を構成する右側部１０６及び左側部１０８の開口部１１２の領域に固定された状態を維持させるための嵌合部５２及び係合部５８を備える。
【００２３】
嵌合部５２は、外側支持部４２側の第１嵌合部５４と内側支持部４０側の第２嵌合部５６とを備える。
第１嵌合部５４は、第２嵌合部５６に嵌合させるために、外側支持部４２の表面より突き出された円柱状凸部を有し、第２嵌合部５６は、第１嵌合部５４を挿入されるために第１嵌合部５４の外形に近似した嵌合穴を有している。
第２嵌合部５６は、ケース本体１２の右側部１０６及び左側部１０８の開閉部材を固定する領域１４０に穿設された嵌合用貫通孔１１４に嵌挿して、ケース本体１２の右側部１０６及び左側部１０８の内側に位置している内側支持部４０の第１嵌合部５４に嵌合される。
【００２４】
係合部５８は、外側支持部４２の自由端縁に形成された係合用凸部６０と、連結部２２に穿設された係合用凹部６２とを備える。
係合用凸部６０を、ケース本体１２の後胴部１０４の開閉部材を固定する領域１４０に穿設された係合用貫通孔１１６に嵌挿して、連結部２２に穿設された係合用凹部６２に係合して、ケース本体１２に固定されている。
挟持部２８は、ケース本体１２の右側部１０６及び左側部１０８の開閉部材を固定する領域１４０に固定される。
而して、ケース本体１２は、開閉部材１４の連結部２２により保型され、且つ、挟持部２８により開口部１１２の端縁を覆われて指等が当たっても痛くないように構成される。
【００２５】
ケース本体１２を構成する前胴部１０２と後胴部１０４と右側部１０６と左側部１０８と底部１１０とは、各部の境界を構成する折り曲げ線においてケース本体１２を構成する合成樹脂シートを折り曲げて、箱状に組み立てることにより成形されている。
すなわち、前胴部１０２及び後胴部１０４と底部１１０との境界を構成する折り曲げ線、並びに、前胴部１０２及び後胴部１０４と右側部１０６及び左側部１０８との境界を構成する折り曲げ線において、図１１ないし１５において示すように、ケース本体１２を構成する１枚の平板状合成樹脂シートを折り曲げて箱状に組み立てることにより成形されている。
【００２６】
前胴部１０２は、右側において、第１折り曲げ線１２０を介して右側部１０６を構成する第１右側部材１０６Ａを連設され、且つ、左側において、第２折り曲げ線１２２を介して左側部１０８を構成する第１左側部材１０８Ａを連設されている。
後胴部１０４は、右側において、第３折り曲げ線１２４を介して右側部１０６を構成する第２右側部材１０６Ｂを連設され、且つ、左側において、第４折り曲げ線１２６を介して左側部１０８を構成する第２左側部材１０８Ｂを連設されている。
底部１１０は、第５折り曲げ線１２８を介して前胴部１０２と連設され、且つ第６折り曲げ線１３０を介して後胴部１０４と連設されている。
底部１１０は、右側において、第７折り曲げ線１３２を介して右側部１０６を構成する第３右側部材１１０Ａを連設され、且つ、左側において、第８折り曲げ線１３４を介して左側部１０８を構成する第４左側部材１１０Ｂ連設されている。
【００２７】
第１右側部材１０６Ａは、第１折り曲げ線１２０と平行な長手端縁を有する略長方形であり、第１左側部材１０８Ａは、第２折り曲げ線１２２と平行な長手端縁を有する略長方形であり、第１右側部材１０６Ａと第１左側部材１０８Ａとは対称形である。
第２右側部材１０６Ｂは、第３折り曲げ線１２４と平行な長手端縁を有し、第２左側部材１０８Ｂは、第４折り曲げ線１２６と平行な長手端縁を有し、それらにより囲繞された領域は胴領域（収容部領域）１４２を構成する。
第２右側部材１０６Ｂは、前記長手端縁に続き、第３折り曲げ線１２４に対し斜行する開口側端縁１０６ａを形成され、第２左側部材１０８Ｂは、第４折り曲げ線１２６に対し斜行する開口側端縁１０８ａを形成されている。
開口側端縁１０６ａと開口側端縁１０８ａとは対称形である。
【００２８】
一枚の合成樹脂シートにより構成された、ケース本体の構成材１２Ａは、展開された状態においては、前胴部１０２と底部１１０とは第５折り曲げ線１２８を介して連設され、後胴部１０４と底部１１０とは第６折り曲げ線１３０を介して連設され、それらが第１折り曲げ線１２０と第７折り曲げ線１３２と第３折り曲げ線１２４と及び第２折り曲げ線１２２と第８折り曲げ線１３４と第４折り曲げ線１２６とが直線状に並んで並列されている。
【００２９】
第５折り曲げ線１２８は、第１折り曲げ線１２０と第７折り曲げ線１３２との交点で直交し、且つ第２折り曲げ線１２２と第８折り曲げ線１３４との交点で直交する。
第６折り曲げ線１３０は、第３折り曲げ線１２４と第７折り曲げ線１３２との交点で直交し、且つ第４折り曲げ線１２６と第８折り曲げ線１３４との交点で直交する。
第５折り曲げ線１２８と第６折り曲げ線１３０とは平行に並んで形成されている。
そこで、第５折り曲げ線１２８を折り曲げて前胴部１０２を底部１１０に直交させ、且つ第６折り曲げ線１３０を折り曲げて後胴部１０４を底部１１０に直交させることができる。
【００３０】
一枚の合成樹脂シートにより構成された、ケース本体の構成材１２Ａは、展開された状態においては、第１折り曲げ線１２０と第５折り曲げ線１２８とは直交し、第２折り曲げ線１２２と第５折り曲げ線１２８とは直交し、第１右側部材１０６Ａは、第１折り曲げ線１２０を介して前胴部１０２の右側に連設され、第１左側部材１０８Ａは第２折り曲げ線１２２を介して前胴部１０２の左側に連設され、それらが並列されている。
第１折り曲げ線１２０と第２折り曲げ線１２２とは、同一の長さを有し、平行に並んで形成されている。
第３折り曲げ線１２４と第６折り曲げ線１３０とは直交し、第４折り曲げ線１２６と第６折り曲げ線１３０とは直交し、第２右側部材１０６Ｂは第３折り曲げ線１２４を介して後胴部１０４の右側に連設され、第２左側部材１０８Ｂは第４折り曲げ線１２６を介して後胴部１０４の左側に連設され、それらが並列されている。
第３折り曲げ線１２４と第４折り曲げ線１２６とは、同一の長さを有し、平行に並んで形成されている。
【００３１】
次に、ケース本体の構成材１２Ａを組み立ててケース本体１２を形成する方法について、主として図１１ないし１５に基づいて、説明する。
まず、第１折り曲げ線１２０を折り曲げて第１右側部材１０６Ａを前胴部１０２と直交させ、且つ第２折り曲げ線１２２を折り曲げて第１左側部材１０８Ａを前胴部１０２と直交させる。
引き続き、第３折り曲げ線１２４を折り曲げて第２右側部材１０６Ｂを後胴部１０４と直交させ、且つ第４折り曲げ線１２６を折り曲げて第２左側部材１０８Ｂを後胴部１０４と直交させる。
そして、第１右側部材１０６Ａの胴領域（収容部領域）１４２と第２右側部材１０６Ｂの胴領域（収容部領域）１４２とを接合し、且つ第１左側部材１０８Ａの胴領域（収容部領域）１４２と第２左側部材１０８Ｂの胴領域（収容部領域）１４２とを接合させ、超音波溶着等の接着方法により、それらの接合された面を接着して、右側部１０６と左側部１０８とを形成する。
【００３２】
第２右側部材１０６Ｂの開口部１１２側は、開閉部材を固定する領域１４０を構成するために、第１右側部材１０６Ａとは接合されていない。
また、第２左側部材１０８Ｂの開口部１１２側は、開閉部材を固定する領域１４０を構成するために、第１左側部材１０８Ａとは接合されていない。
この接合されていない領域は、開閉部材を固定する領域１４０を構成し、右側部１０６の開口側端縁１０６ａ及び左側部１０８の開口側端縁１０８ａと、それに続く前胴部１０２の開口部１１２側の開口端縁１０２ａとにより開口部１１２を構成する。
また、後胴部１０４の開口部１１２側は、前胴部１０２と対向する胴領域（収容部領域）１４２より上方にのびている。
上方にのびた領域は、開閉部材を固定する領域１４０を構成する。
ケース本体１２は、後胴部１０４と右側部１０６及び左側部１０８の開口部１１２側の端縁に、開閉部材を固定する領域１４０を有している。
【００３３】
開閉部材１４の連結部本体２６は、開閉部材を固定する領域１４０を構成する後胴部１０４の中間部分から上端に達する領域に固定される。
開閉可動部２４は、後胴部１０４の上端の近傍に位置し、蓋部２０は、後胴部１０４の上方に突き出るように、ケース本体１２に開閉自在に固定される。
蓋部２０は、ケース本体１２の開口部１１２を閉塞したとき、天部３６が、ケース本体１２の底部１１０と平行に固定される。
【００３４】
開閉部材１４は、内側支持部４０と外側支持部４２に嵌合部５２を形成され、ケース本体１２の襠部を構成する第２右側部材１０６Ｂ及び第２左側部材１０８Ｂの開閉部材を固定する領域１４０に形成された嵌合用貫通孔１１４に第１嵌合部５４を嵌挿し、更に、内側支持部４０の第２嵌合部５６と外側支持部４２の第１嵌合部５４とを嵌合してケース本体１２に固定される。
内側支持部４０は、その自由端縁に係合用凸部６０を形成され、該係合用凸部６０を、ケース本体１２の前胴部１０２又は後胴部１０４に穿設された係合用貫通孔１１６に嵌挿し、且つ連結部２２及び／又は挟持部２８に穿設された係合用凹部６２に係合してケース本体１２に固定されている。
この実施の形態においては、内側支持部４０は、その自由端縁に係合用凸部６０を形成され、該係合用凸部６０を、ケース本体１２の後胴部１０４の開閉部材を固定する領域１４０に穿設された係合用貫通孔１１６に嵌挿し、更に連結部２２に穿設された係合用凹部６２に係合してケース本体１２に固定されている。
【００３５】
蓋部２０は、ケース本体１２の開口部１１２を閉塞したとき、右側蓋部３２がケース本体１２の右側部１０６の外側に位置し、且つ左側蓋部３４がケース本体１２の左側部１０８の外側に位置して固定される。
蓋部２０は、ケース本体１２の開口部１１２を閉塞したとき、前蓋部３０がケース本体１２の前胴部１０２の上端縁（開口部１１２の側の端縁）の近傍の外側に位置して、ケース本体１２の開口部１１２の前方を閉塞する。
【００３６】
前記蓋部２０は、ケース本体１２（又は挟持部２８）に固定され、閉塞（被蓋）した状態を維持するための被蓋固定手段７０を備える。
被蓋固定手段７０は、ケース本体１２及び／又は挟持部２８と蓋部２０とのいずれかに形成された、係止用凸部７２と該係止用凸部７２に係止されて蓋部２０をケース本体１２に固定するための係止用凹部７４とからなる、被蓋係止部で構成されている。
この実施の形態においては、蓋部２０の右側蓋部３２及び左側蓋部３４の内側面に係止用凸部７２を突設され、ケース本体１２の右側部１０６及び左側部１０８の後胴部１０４側の領域に係止用凹部７４を穿設されている。
そして、蓋部２０をケース本体１２の開口部１１２に被せたとき、蓋部２０の係止用凸部７２がケース本体１２の係止用凹部７４に係合して、閉塞（被蓋）した状態を維持される。
【００３７】
被蓋固定手段７０は、ケース本体１２及び／又は挟持部２８と蓋部２０とに形成された、面ファスナ、ケース本体１２及び／又は挟持部２８と蓋部２０とに形成されたマグネットのうち、いずれか１つで構成されてもよい。
【００３８】
この発明は、前記実施の形態の収納ケース１０に限らず、種々変更することができる。
例えば、図２１ないし２４に示す収納ケース１０のように、ペン等の筆記具、ドライバー等の工具のような、長尺物を収納するに適するように、ケース本体１２を縦長の立方体としてもよい。
又、ケース本体１２の胴領域（収容部領域）１４２を縦長としたことに伴い、開閉部材１４も高さ方向に長い蓋部２０及び連結部２２としてもよい。
そして、開閉部材１４の係合部５８は、係合用凸部６０及び係合用凹部６２に加えて、係合用凸部６０及び係合用凹部６２と同じ構造の係合用凸部６４及び係合用凹部６６を構成してもよい。
係合用凸部６４及び係合用凹部６６の追加に対応して、後胴部１０４並びに第２右側部材１０６Ｂ及び第２左側部材１０８Ｂに、係合用貫通孔１１６と同じ構造の係合用貫通孔１１８を、追加して構成する。
而して、開閉部材１４は、ケース本体１２の開閉部材を固定する領域１４０に、強固に固定される。
【００３９】
ケース本体１２は、後胴部１０４及び側部１０６及び左側部１０８の開口部１１２側端縁に、開閉部材１４を固定される領域を有し、開閉部材１４は、連結部本体２６が、ケース本体１２の前胴部１０２又は後胴部１０４に固定される領域を有し、前記挟持部２８が、前胴部１０２と後胴部１０４との間に形成された右側部１０６及び左側部１０８の開口部１１２の領域を、表側と内側との間に跨って挟み、固定されるように形成され、ケース本体１２の前胴部１０２及び／又は後胴部１０４の側部側端縁に沿った平行な直線状屈曲部４６と、前記屈曲部４６と平行な又は前記屈曲部４６に斜交（例えば直交）する、直線状の架設部４４と、前記屈曲部４６と平行な又は前記屈曲部４６に斜交（例えば直交）する、直線状の係合端縁４８とを備えてもよい。
ケース本体１２の開閉部材を固定する領域１４０は、図２５及び２６において示すように、前胴部１０２の開口端縁１０２ａが後胴部１０４より下方に下がった形状ではなく、前胴部１０２の開口端縁１０２ａが後胴部１０４と略々同じ高さに形成されてもよい。
そして、第２右側部材１０６Ｂの開口側端縁１０６ａ及び第２左側部材１０８Ｂの開口側端縁１０８ａは、第３折り曲げ線１２４及び第４折り曲げ線１２６と直交するように形成されている。開口側端縁１０６ａ及び開口側端縁１０８ａは、底部１１０と平行に形成されている。
開閉部材１４の挟持部２８は、図２５及び２６において示すように、外側支持部４２の上方に内側支持部４０を形成され、架設部４４は、屈曲部４６の上端と直交するように形成される。
そして、外側支持部４２は、屈曲部４６において屈曲させて、第２右側部材１０６Ｂ及び第２左側部材１０８Ｂの外側面に接し合わせ、内側支持部４０は、架設部４４において屈曲させて、第２右側部材１０６Ｂ及び第２左側部材１０８Ｂの内側面に接し合わせる。
そして、支持固定部５０を構成する嵌合部５２及び係合部５８で、内側支持部４０及び外側支持部４２は、第２右側部材１０６Ｂ及び第２左側部材１０８Ｂの開閉部材を固定する領域１４０に固定する。
而して、開口部１１２は、前胴部１０２側において、大きく開口しない収納ケース１０を形成される。
【００４０】
収納ケース１０に収納される被収納物Ｘによれば、例えば、手の人差し指と親指とによって、被収納物Ｘを挟み、収納ケース１０より取り出した方が、よい場合がある。
前記事情を鑑みて、更に収納ケース１０の開口部１１２から被収納物Ｘを取り出し易い収納ケース１０を提供するために、次の実施の形態の収納ケースを呈示する。
【００４１】
この実施の形態の収納ケースについて、主として、図２７ないし３５及び図１０ないし２０に基づいて説明する。
図２７は、この発明の一実施の形態である収納ケースを示す斜視図解図であり、図２８は、図２７に示す収納ケースを開いた状態を示す正面図解図であり、図２９Ａは、図２７に示す収納ケースを開いた状態を示す側面図解図であり、図２９Ｂは、図２７に示す収納ケースを開いた状態を示す側面図解図であり、図３０は、図２７に示す収納ケースを開いた状態を示す背面図解図であり、図３１は、図２７に示す収納ケースを閉じた状態を示す正面図解図であり、図３２は、図２７に示す収納ケースを閉じた状態を示す側面図解図であり、図３３は、図２７に示す収納ケースを閉じた状態を示す背面図解図であり、図３４は、図２８Ｂ−Ｂ断面図解図であり、図３５は、蓋部を開いた状態から閉じた状態にするときの途中の状態を示す図２８Ｂ−Ｂ断面図である。
【００４２】
この発明に係る収納ケース１０は、被収納物Ｘを入れるケース本体１２と、ケース本体１２を閉塞（被蓋）する開閉部材１４とを備えた、カード、文房具、日用品などを収納するケースである。
ケース本体１２は、平らな合成樹脂シートを折り曲げて箱状に成形され、開閉部材１４は、合成樹脂により一体成型され、ケース本体１２と開閉部材１４とは、結合されて、収納ケース１０を構成する。
【００４３】
前記開閉部材１４は、前記ケース本体１２の開口部１１２を閉塞（被蓋）する蓋部２０と、ケース本体１２に連結するための連結部２２と、前記蓋部２０と連結部２２とを回転自在に連結する開閉可動部２４と、ケース本体１２の向こう側の上部に付加される後胴付加部９０及び右側部付加部９２並びに左側部付加部９４とを有している。
【００４４】
前記連結部２２は、連結部本体２６と、前記連結部本体２６の右側端及び左側端から外方にのびた挟持部２８とを備える。
前記連結部本体２６は、ケース本体１２の前胴部１０２又は後胴部１０４に固定される領域を有している。
前記開閉部材１４は、前記蓋部２０と連結部２２と開閉可動部２４と連結部本体２６と挟持部２８と後胴付加部９０とを合成樹脂により一体成型されてなる。
【００４５】
ケース本体１２は、前胴部１０２と、前記前胴部１０２に対向する後胴部１０４と、前記前胴部１０２と後胴部１０４との間に架設された、ケースの襠部を構成する右側部１０６及び左側部１０８と、前記前胴部１０２と後胴部１０４と右側部１０６と左側部１０８とにより囲繞された領域に設けられた底部１１０とを有している。
ケース本体１２は、前胴部１０２と後胴部１０４と右側部１０６と左側部１０８と底部１１０とにより囲まれた胴部（収容部）に、被収納物Ｘを収納する。
【００４６】
開閉部材１４の蓋部２０は、前記ケース本体１２の底部１１０とは反対側の開口部１１２を覆う前蓋部３０、前記開閉可動部２４の両端の領域に続く端縁に設けられた右側蓋部３２及び左側蓋部３４並びにケース本体１２の底部１１０に対向する天部３６を有する。
【００４７】
前蓋部３０は、正面視長方形の板状体であり、右側蓋部３２は、前蓋部３０の右側端縁に第６折り曲げ線１３０の内面と直交するように向こう側に向けて突設された板状体であり、左側蓋部３４は、前蓋部３０の左側端縁に第６折り曲げ線１３０の内面と直交するように向こう側に向けて突設された板状体である。
天部３６は、ケース本体１２の底部１１０と相似形の平面視長方形状であり、右側蓋部３２と左側蓋部３４との間に架け渡され、前蓋部３０の上方側端縁に前蓋部３０の内面と直交するように向こう側に向けて突設された板状体である。
【００４８】
開閉可動部２４は、前記ケース本体１２の向こう側の開口端縁１０４ａに近い高さ位置において連結部２２に近い側に形成された第１開閉可動部８０と、前記第１開閉可動部８０より蓋部２０側に離れた位置において形成された第２開閉可動部８２とを有している。
第１開閉可動部８０と第２開閉可動部８２との間には、後胴付加部９０を形成されている。
第１開閉可動部８０は、後胴部１０４と略々同じ長さを備える、直線状薄肉部で構成される。
第２開閉可動部８２は、天部３６の手前側端に連設され、前蓋部３０の幅と略々同じ長さを備える、略々長方形状の薄肉部で構成される。
開閉可動部２４は、ケース本体１２の開口部１１２ののびる方向と平行にのび、且つ前記のびる方向と交差する方向にわん曲又は／屈曲するように柔軟に形成されている。
後胴付加部９０は、正面視（背面視）略々長方形であり、右側部付加部９２を右端に連設され、左側部付加部９４を左端に連設されている。
右側部付加部９２は、右側部１０６の上部に開口側端縁１０６ａに続いて立ち上がる板状であり、左側部付加部９４は、左側部１０８の開口側端縁１０８ａに続いて立ち上がる板状である。
【００４９】
連結部本体２６は、後胴部１０４の第１右側部材１０６Ａ及び第１左側部材１０８Ａの高さよりも、より上方に突き出た開口部１１２の領域（開閉部材を固定する領域１４０）と略々同じ正面視長方形状の板状体である。
【００５０】
蓋部２０は、後胴部１０４の上方に突き出るように、ケース本体１２に開閉自在に固定される。
蓋部２０でケース本体１２の開口部１１２を閉塞するときに、前蓋部３０は、開閉可動部２４を枢軸として回転させることにより連結部２２の内側面と対向し、右側蓋部３２は、連結部２２の右外側に位置し、左側蓋部３４は、連結部２２の左外側に位置するように構成されている。
【００５１】
開閉部材１４の連結部本体２６は、開閉部材を固定する領域１４０を構成する後胴部１０４の中間部分から上端の開口端縁１０４ａより一定の距離をおいた位置との間の領域に固定される高さと幅を備える。
後胴付加部９０は、ケース本体１２の開口部１１２を覆う幅を備える板状であり、後胴部１０４の上端の近傍に位置するように構成される。
開閉可動部２４は、ケース本体１２の開口部１１２を覆う幅を備え、後胴部１０４の上方に位置するように構成される。
後胴付加部９０は、第１開閉可動部８０の近傍の領域において、蓋部２０を閉じたとき、ケース本体１２の後胴部１０４の（平面状）外側面と密着するように、後胴部１０４と対向する面を平面状に形成されている。
又、右側部付加部９２及び左側部付加部９４は、蓋部２０を閉じたとき、ケース本体１２の右側部１０６及び左側部１０８の（平面状）外側面における第１開閉可動部８０の近傍の領域において密着するように、右側部付加部９２の右側部１０６に対向する面及び左側部付加部９４の左側部１０８に対向する面を平面状に形成されている。
【００５２】
蓋部２０は、ケース本体１２の開口部１１２を閉塞するように、天部３６が、ケース本体１２の右側部１０６と左側部１０８との間隔よりも広い幅を備え、右側部１０６と左側部１０８との間を覆う高さを有し、ケース本体１２の底部１１０と略同一の面積又は広い面積を有する。
蓋部２０は、ケース本体１２の開口部１１２を閉塞するように、右側蓋部３２がケース本体１２の右側部１０６の外側に位置し、且つ左側蓋部３４がケース本体１２の左側部１０８の外側に位置して固定される幅を備える。
蓋部２０は、ケース本体１２の開口部１１２を閉塞するように、前蓋部３０がケース本体１２の前胴部１０２の上端縁（開口部１１２の側の端縁）の近傍の外側に位置して、ケース本体１２の開口部１１２の前方を閉塞するための高さを有し、且つ右側部１０６と左側部１０８との外側に達する幅を有している。
【００５３】
挟持部２８は、連結部本体２６の右側端から右外方に突き出し設けられた第１の挟持部２８Ａと、連結部本体２６の左側端から左外方に突き出し設けられた第２の挟持部２８Ｂとを備える。
第１の挟持部２８Ａと第２の挟持部２８Ｂとは、左右対称に形成されている。
前記挟持部２８は、前胴部１０２と後胴部１０４との間に形成された襠部を構成する右側部１０６及び左側部１０８の開口部１１２の領域（開閉部材を固定する領域１４０）を、表側と内側との間に跨って挟み、固定されるように形成されている。
挟持部２８は、ケース本体１２の内側に接合固定されて内側を支持する内側支持部４０と、ケース本体１２の外側に接合固定されて外側を支持する外側支持部４２と、前記内側支持部４０と外側支持部４２との間に架け渡された架設部４４とを備える。
前記内側支持部４０及び外側支持部４２は、連結部２２に屈曲部４６を介して連設されている。
【００５４】
前記架設部４４は、ケース本体１２の襠部を構成する右側部１０６及び左側部１０８の開口部１１２の形状に沿った形状を有している。
この実施の形態においては、ケース本体１２の襠部を構成する右側部１０６及び左側部１０８の開口部１１２側の開口側端縁１０６ａ及び開口側端縁１０８ａ（開閉部材を固定する領域１４０）は、後胴部１０４側から前胴部１０２側にかけて低くなる傾斜端縁を構成している。そのために、外側支持部４２は、前側から後ろ側に向けてその幅が狭くなる扇形に形成され、内側支持部４０は、外側支持部４２の形状と略同じ形状であって、前側から後ろ側に向けてその幅が狭くなる扇形に形成されている。
【００５５】
開閉部材１４は、ケース本体１２の前胴部１０２及び／又は後胴部１０４の襠部側の端縁に沿った平行な直線状屈曲部４６と、前記屈曲部４６に斜交する、直線状の架設部４４と、前記屈曲部４６に斜交する、直線状の係合端縁４８とを備え、前記屈曲部４６と架設部４４と係合端縁４８との間に架設部４４を挟んで、並んで形成されている。
架設部４４と屈曲部４６との間隔は、前側から後ろ側に向けてその幅が狭くなる。
【００５６】
挟持部２８は、外側支持部４２及び内側支持部４０をケース本体１２の襠部に固定するための支持固定部５０を備える。
前記支持固定部５０は、ケース本体１２の襠部を構成する右側部１０６及び左側部１０８の開口部１１２の領域に固定された状態を維持させるための嵌合部５２及び係合部５８を備える。
【００５７】
嵌合部５２は、外側支持部４２側の第１嵌合部５４と内側支持部４０側の第２嵌合部５６とを備える。
第１嵌合部５４は、第２嵌合部５６に嵌合させるために、外側支持部４２の表面より突き出された円柱状凸部を有し、第２嵌合部５６は、第１嵌合部５４を挿入されるために第１嵌合部５４の外形に近似した嵌合穴を有している。
第２嵌合部５６は、ケース本体１２の右側部１０６及び左側部１０８の開閉部材を固定する領域１４０に穿設された嵌合用貫通孔１１４に嵌挿して、ケース本体１２の右側部１０６及び左側部１０８の内側に位置している内側支持部４０の第１嵌合部５４に嵌合される。
【００５８】
係合部５８は、外側支持部４２の自由端縁に形成された係合用凸部６０と、連結部２２に穿設された係合用凹部６２とを備える。
係合用凸部６０を、ケース本体１２の後胴部１０４の開閉部材を固定する領域１４０に穿設された係合用貫通孔１１６に嵌挿して、連結部２２に穿設された係合用凹部６２に係合して、ケース本体１２に固定されている。
挟持部２８は、ケース本体１２の右側部１０６及び左側部１０８の開閉部材を固定する領域１４０に固定される。
而して、ケース本体１２は、開閉部材１４の連結部２２により保型され、且つ、挟持部２８により開口部１１２の端縁を覆われて指等が当たっても痛くないように構成される。
【００５９】
ケース本体１２を構成する前胴部１０２と後胴部１０４と右側部１０６と左側部１０８と底部１１０とは、各部の境界を構成する折り曲げ線においてケース本体１２を構成する合成樹脂シートを折り曲げて、箱状に組み立てることにより成形されている。
すなわち、前胴部１０２及び後胴部１０４と底部１１０との境界を構成する折り曲げ線、並びに、前胴部１０２及び後胴部１０４と右側部１０６及び左側部１０８との境界を構成する折り曲げ線において、図１１ないし１５において示すように、ケース本体１２を構成する１枚の平板状合成樹脂シートを折り曲げて箱状に組み立てることにより成形されている。
【００６０】
前胴部１０２は、右側において、第１折り曲げ線１２０を介して右側部１０６を構成する第１右側部材１０６Ａを連設され、且つ、左側において、第２折り曲げ線１２２を介して左側部１０８を構成する第１左側部材１０８Ａを連設されている。前胴部１０２は、上側において、ケース本体１２の開口部１１２を構成する手前側の開口端縁１０２ａを備える。
後胴部１０４は、右側において、第３折り曲げ線１２４を介して右側部１０６を構成する第２右側部材１０６Ｂを連設され、且つ、左側において、第４折り曲げ線１２６を介して左側部１０８を構成する第２左側部材１０８Ｂを連設されている。後胴部１０４は、上側において、ケース本体１２の開口部１１２を構成する向こう側の開口端縁１０４ａを備える。
開口部１１２を構成する手前側の開口端縁１０２ａと向こう側の開口端縁１０４ａとは、ケース本体１２の高さ方向において、略同じ高さかいずれかが若干高い位置に形成されている。開口端縁１０２ａと開口端縁１０４ａと底部１１０との間の長さは、被収納物Ｘの高さよりも短い。
而して、蓋部２０を開いたとき、被収納物Ｘは、前胴部１０２及び後胴部１０４の高さよりも高いために、前胴部１０２及び後胴部１０４のいずれの側においても、開口端縁１０２ａ及び開口端縁１０４ａより上方に突き出る。
そのために、被収納物Ｘは、例えば手前側及び向こう側において手の親指と人差し指とにより被収納物Ｘの表裏両面を挟んで、収納ケース１０より取り外すことができる。
【００６１】
底部１１０は、第５折り曲げ線１２８を介して前胴部１０２と連設され、且つ第６折り曲げ線１３０を介して後胴部１０４と連設されている。
底部１１０は、右側において、第７折り曲げ線１３２を介して右側部１０６を構成する第３右側部材１１０Ａを連設され、且つ、左側において、第８折り曲げ線１３４を介して左側部１０８を構成する第４左側部材１１０Ｂ連設されている。
【００６２】
第１右側部材１０６Ａは、第１折り曲げ線１２０と平行な長手端縁を有する略長方形であり、第１左側部材１０８Ａは、第２折り曲げ線１２２と平行な長手端縁を有する略長方形であり、第１右側部材１０６Ａと第１左側部材１０８Ａとは対称形である。
第２右側部材１０６Ｂは、第３折り曲げ線１２４と平行な長手端縁を有し、第２左側部材１０８Ｂは、第４折り曲げ線１２６と平行な長手端縁を有し、それらにより囲繞された領域は胴領域（収容部領域）１４２を構成する。
第２右側部材１０６Ｂは、前記長手端縁に続き、第３折り曲げ線１２４に対し斜行する開口側端縁１０６ａを形成され、第２左側部材１０８Ｂは、第４折り曲げ線１２６に対し斜行する開口側端縁１０８ａを形成されている。
開口側端縁１０６ａと開口側端縁１０８ａとは対称形である。
【００６３】
一枚の合成樹脂シートにより構成された、ケース本体の構成材１２Ａは、展開された状態においては、前胴部１０２と底部１１０とは第５折り曲げ線１２８を介して連設され、後胴部１０４と底部１１０とは第６折り曲げ線１３０を介して連設され、それらが第１折り曲げ線１２０と第７折り曲げ線１３２と第３折り曲げ線１２４と及び第２折り曲げ線１２２と第８折り曲げ線１３４と第４折り曲げ線１２６とが直線状に並んで並列されている。
【００６４】
第５折り曲げ線１２８は、第１折り曲げ線１２０と第７折り曲げ線１３２との交点で直交し、且つ第２折り曲げ線１２２と第８折り曲げ線１３４との交点で直交する。
第６折り曲げ線１３０は、第３折り曲げ線１２４と第７折り曲げ線１３２との交点で直交し、且つ第４折り曲げ線１２６と第８折り曲げ線１３４との交点で直交する。
第５折り曲げ線１２８と第６折り曲げ線１３０とは平行に並んで形成されている。
そこで、第５折り曲げ線１２８を折り曲げて前胴部１０２を底部１１０に直交させ、且つ第６折り曲げ線１３０を折り曲げて後胴部１０４を底部１１０に直交させることができる。
【００６５】
一枚の合成樹脂シートにより構成された、ケース本体の構成材１２Ａは、展開された状態においては、第１折り曲げ線１２０と第５折り曲げ線１２８とは直交し、第２折り曲げ線１２２と第５折り曲げ線１２８とは直交し、第１右側部材１０６Ａは、第１折り曲げ線１２０を介して前胴部１０２の右側に連設され、第１左側部材１０８Ａは第２折り曲げ線１２２を介して前胴部１０２の左側に連設され、それらが並列されている。
第１折り曲げ線１２０と第２折り曲げ線１２２とは、同一の長さを有し、平行に並んで形成されている。
第３折り曲げ線１２４と第６折り曲げ線１３０とは直交し、第４折り曲げ線１２６と第６折り曲げ線１３０とは直交し、第２右側部材１０６Ｂは第３折り曲げ線１２４を介して後胴部１０４の右側に連設され、第２左側部材１０８Ｂは第４折り曲げ線１２６を介して後胴部１０４の左側に連設され、それらが並列されている。
第３折り曲げ線１２４と第４折り曲げ線１２６とは、同一の長さを有し、平行に並んで形成されている。
【００６６】
次に、ケース本体の構成材１２Ａを組み立ててケース本体１２を形成する方法について、主として図１１ないし１５に基づいて、説明する。
まず、第１折り曲げ線１２０を折り曲げて第１右側部材１０６Ａを前胴部１０２と直交させ、且つ第２折り曲げ線１２２を折り曲げて第１左側部材１０８Ａを前胴部１０２と直交させる。
引き続き、第３折り曲げ線１２４を折り曲げて第２右側部材１０６Ｂを後胴部１０４と直交させ、且つ第４折り曲げ線１２６を折り曲げて第２左側部材１０８Ｂを後胴部１０４と直交させる。
そして、第１右側部材１０６Ａの胴領域（収容部領域）１４２と第２右側部材１０６Ｂの胴領域（収容部領域）１４２とを接合し、且つ第１左側部材１０８Ａの胴領域（収容部領域）１４２と第２左側部材１０８Ｂの胴領域（収容部領域）１４２とを接合させ、超音波溶着等の接着方法により、それらの接合された面を接着して、右側部１０６と左側部１０８とを形成する。
【００６７】
第２右側部材１０６Ｂの開口部１１２側は、開閉部材を固定する領域１４０を構成するために、第１右側部材１０６Ａとは接合されていない。
また、第２左側部材１０８Ｂの開口部１１２側は、開閉部材を固定する領域１４０を構成するために、第１左側部材１０８Ａとは接合されていない。
この接合されていない領域は、開閉部材を固定する領域１４０を構成し、右側部１０６の開口側端縁１０６ａ及び左側部１０８の開口側端縁１０８ａと、それに続く前胴部１０２の開口部１１２側の開口端縁１０２ａとにより開口部１１２を構成する。
また、後胴部１０４の開口部１１２側は、前胴部１０２と対向する胴領域（収容部領域）１４２と、略々同一の高さを有し、その上端縁が開口端縁１０４ａを構成する。
開口端縁１０４ａより下方の領域は、開閉部材を固定する領域１４０を構成する。
ケース本体１２は、後胴部１０４と右側部１０６及び左側部１０８の開口部１１２側の端縁に、開閉部材を固定する領域１４０を有している。
【００６８】
開閉部材１４の連結部本体２６は、開閉部材を固定する領域１４０を構成する後胴部１０４の中間部分と上端の開口端縁１０４ａより一定の距離をおいた部分との間の領域に固定される。
開閉可動部２４は、後胴部１０４の上方に位置し、蓋部２０は、後胴部１０４の上方に突き出るように、ケース本体１２に開閉自在に固定される。
蓋部２０は、ケース本体１２の開口部１１２を閉塞したとき、天部３６が、ケース本体１２の底部１１０と平行に固定される。
【００６９】
開閉部材１４は、内側支持部４０と外側支持部４２に嵌合部５２を形成され、ケース本体１２の襠部を構成する第２右側部材１０６Ｂ及び第２左側部材１０８Ｂの開閉部材を固定する領域１４０に形成された嵌合用貫通孔１１４に第１嵌合部５４を嵌挿し、更に、内側支持部４０の第２嵌合部５６と外側支持部４２の第１嵌合部５４とを嵌合してケース本体１２に固定される。
内側支持部４０は、その自由端縁に係合用凸部６０を形成され、該係合用凸部６０を、ケース本体１２の前胴部１０２又は後胴部１０４に穿設された係合用貫通孔１１６に嵌挿し、且つ連結部２２及び／又は挟持部２８に穿設された係合用凹部６２に係合してケース本体１２に固定されている。
この実施の形態においては、内側支持部４０は、その自由端縁に係合用凸部６０を形成され、該係合用凸部６０を、ケース本体１２の後胴部１０４の開閉部材を固定する領域１４０に穿設された係合用貫通孔１１６に嵌挿し、更に連結部２２に穿設された係合用凹部６２に係合してケース本体１２に固定されている。
【００７０】
蓋部２０は、ケース本体１２の開口部１１２を閉塞したとき、右側蓋部３２がケース本体１２の右側部１０６の外側に位置し、且つ左側蓋部３４がケース本体１２の左側部１０８の外側に位置して固定される。
蓋部２０は、ケース本体１２の開口部１１２を閉塞したとき、前蓋部３０がケース本体１２の前胴部１０２の上端縁（開口部１１２の側の端縁）の近傍の外側に位置して、ケース本体１２の開口部１１２の前方を閉塞する。
【００７１】
前記蓋部２０は、ケース本体１２（又は挟持部２８）に固定され、閉塞（被蓋）した状態を維持するための被蓋固定手段７０を備える。
被蓋固定手段７０は、ケース本体１２及び／又は挟持部２８と蓋部２０とのいずれかに形成された、係止用凸部７２と該係止用凸部７２に係止されて蓋部２０をケース本体１２に固定するための係止用凹部７４とからなる、被蓋係止部で構成されている。
この実施の形態においては、蓋部２０の右側蓋部３２及び左側蓋部３４の内側面に係止用凸部７２を突設され、ケース本体１２の右側部１０６及び左側部１０８の後胴部１０４側の領域に係止用凹部７４を穿設されている。
そして、蓋部２０をケース本体１２の開口部１１２に被せたとき、蓋部２０の係止用凸部７２がケース本体１２の係止用凹部７４に係合して、閉塞（被蓋）した状態を維持される。
【産業上の利用可能性】
【００７２】
この発明にかかる収納ケースは、ケース本体及び開閉部材の形状・構造を変更して、小物から比較的大きな物品まで種々の物品を収納することができる、ケースとして利用できる。
【符号の説明】
【００７３】
１０  収納ケース
１２  ケース本体
１２Ａ  ケース本体の構成材
１４  開閉部材
２０  蓋部
２２  連結部
２４  開閉可動部
２６  連結部本体
２８  挟持部
２８Ａ  第１の挟持部
２８Ｂ  第２の挟持部
３０  前蓋部
３２  右側蓋部
３４  左側蓋部
３６  天部
４０  内側支持部
４２  外側支持部
４４  架設部
４６  屈曲部
４８  係合端縁
５０  支持固定部
５２  嵌合部
５４  第１嵌合部
５６  第２嵌合部
５８  係合部
６０，６４  係合用凸部
６２，６６  係合用凹部
７０  被蓋固定手段
７２  係止用凸部
７４  係止用凹部
８０  第１開閉可動部
８２  第２開閉可動部
９０  後胴付加部
９２  右側部付加部
９４  左側部付加部
１０２  前胴部
１０２ａ，１０４ａ  開口端縁
１０４  後胴部
１０６  右側部
１０６Ａ  第１右側部材
１０６Ｂ  第２右側部材
１０６ａ  開口側端縁
１０８  左側部
１０８Ａ  第１左側部材
１０８Ｂ  第２左側部材
１０８ａ  開口側端縁
１１０  底部
１１０Ａ  第３右側部材
１１０Ｂ  第４左側部材
１１２  開口部
１１４  嵌合用貫通孔
１１６，１１８  係合用貫通孔
１２０  第１折り曲げ線
１２２  第２折り曲げ線
１２４  第３折り曲げ線
１２６  第４折り曲げ線
１２８  第５折り曲げ線
１３０  第６折り曲げ線
１３２  第７折り曲げ線
１３４  第８折り曲げ線
１４０  開閉部材を固定する領域
１４２  胴領域（収容部領域）
Ｘ  被収納物
【図１】
0005586557.tif 000002
【図２】
0005586557.tif 000003
【図３】
0005586557.tif 000004
【図４】
0005586557.tif 000005
【図５】
0005586557.tif 000006
【図６】
0005586557.tif 000007
【図７】
0005586557.tif 000008
【図８】
0005586557.tif 000009
【図９】
0005586557.tif 000010
【図１０】
0005586557.tif 000011
【図１１】
0005586557.tif 000012
【図１２】
0005586557.tif 000013
【図１３】
0005586557.tif 000014
【図１４】
0005586557.tif 000015
【図１５】
0005586557.tif 000016
【図１６】
0005586557.tif 000017
【図１７】
0005586557.tif 000018
【図１８】
0005586557.tif 000019
【図１９】
0005586557.tif 000020
【図２０】
0005586557.tif 000021
【図２１】
0005586557.tif 000022
【図２２】
0005586557.tif 000023
【図２３】
0005586557.tif 000024
【図２４】
0005586557.tif 000025
【図２５】
0005586557.tif 000026
【図２６】
0005586557.tif 000027
【図２７】
0005586557.tif 000028
【図２８】
0005586557.tif 000029
【図２９Ａ】
0005586557.tif 000030
【図２９Ｂ】
0005586557.tif 000031
【図３０】
0005586557.tif 000032
【図３１】
0005586557.tif 000033
【図３２】
0005586557.tif 000034
【図３３】
0005586557.tif 000035
【図３４】
0005586557.tif 000036
【図３５】
0005586557.tif 000037
【図３６】
0005586557.tif 000038
【図３７】
0005586557.tif 000039